(57)【要約】【課題】有効率の高い空間を形成することができる上、外壁の設計自由度を高めることも可能な建物を提供すること。【解決手段】複数の階層を有する建物であって、複数のエレベータ２が平面視において列をなす状態となるように配されたエレベータシャフト３と、該エレベータシャフト３の前面側に位置する各階のエレベータホール４と、前記エレベータシャフト４の背面側に隣接する階段室５とを耐震壁で囲んでコア部１を形成してあり、鉛直方向荷重を負担する要素として、前記コア部１の他に、建物の外周部に分散配置された鉄骨柱６を有する。【選択図】図２
2014231724.tif 000002
【特許請求の範囲】
【請求項１】
複数の階層を有する建物であって、
複数のエレベータが平面視において列をなす状態となるように配されたエレベータシャフトと、該エレベータシャフトの前面側に位置する各階のエレベータホールと、前記エレベータシャフトの背面側に隣接する階段室とを耐震壁で囲んでコア部を形成してあり、
鉛直方向荷重を負担する要素として、前記コア部の他に、建物の外周部に分散配置された鉄骨柱を有することを特徴とする建物。
【請求項２】
前記コア部から建物の外周部にかけてフラットスラブを構築してある請求項１に記載の建物。
【請求項３】
前記コア部は、平面視で互いに直角であるＸ方向に延びる壁とＹ方向に延びる壁とによって構成され、かつ、建物のＸ方向における中央に位置し、
前記コア部のＹ方向に延びる壁からＹ方向に離れた位置には、Ｙ方向に延びる壁柱が外壁に臨む状態で設けられ、
前記壁柱と前記コア部との間には、Ｙ方向に延びる梁が架設されている請求項１または２に記載の建物。
【請求項４】
所定の階に免震装置を設けて免震化してある請求項１〜３の何れか一項に記載の建物。
【発明の詳細な説明】
【技術分野】
【０００１】
この発明は、例えば、複数の階層を有し、内部にコア部を形成してある建物に関する。
【背景技術】
【０００２】
複数の階層を有し、内部にコア部を形成してある建物として、ＲＣ造のコアウォール（コア部）と格子状の外壁ＰＣパネルフレームとを主架構とした建物が公知である（例えば特許文献１参照）。斯かる建物では、室内に柱型が出ない構造とすることができ、室内空間を有効利用することができる。
【先行技術文献】
【特許文献】
【０００３】
【特許文献１】特許第５１２０６４１号公報
【発明の概要】
【発明が解決しようとする課題】
【０００４】
しかし、上記建物では、格子状の外壁ＰＣパネルフレームが構造躯体を兼用する必須の構成要素となっているので、外壁に関する設計自由度が低いという問題がある。
【０００５】
本発明は上述の事柄に留意してなされたもので、その目的は、有効率の高い空間を形成することができる上、外壁の設計自由度を高めることも可能な建物を提供することにある。
【課題を解決するための手段】
【０００６】
上記目的を達成するために、本発明に係る建物は、複数の階層を有する建物であって、複数のエレベータが平面視において列をなす状態となるように配されたエレベータシャフトと、該エレベータシャフトの前面側に位置する各階のエレベータホールと、前記エレベータシャフトの背面側に隣接する階段室とを耐震壁で囲んでコア部を形成してあり、鉛直方向荷重を負担する要素として、前記コア部の他に、建物の外周部に分散配置された鉄骨柱を有することを特徴とする（請求項１）。
【０００７】
上記建物において、前記コア部から建物の外周部にかけてフラットスラブを構築してあってもよい（請求項２）。
【０００８】
上記建物において、前記コア部は、平面視で互いに直角であるＸ方向に延びる壁とＹ方向に延びる壁とによって構成され、かつ、建物のＸ方向における中央に位置し、前記コア部のＹ方向に延びる壁からＹ方向に離れた位置には、Ｙ方向に延びる壁柱が外壁に臨む状態で設けられ、前記壁柱と前記コア部との間には、Ｙ方向に延びる梁が架設されていてもよい（請求項３）。
【０００９】
上記建物を、所定の階に免震装置を設けて免震化してあってもよい（請求項４）。
【発明の効果】
【００１０】
本願発明では、有効率の高い空間を形成することができる上、外壁の設計自由度を高めることも可能な建物が得られる。
【００１１】
すなわち、本願の各請求項に係る発明の建物では、堅牢なコアウォール架構としてのコア部と、建物の外周部に分散配置される鉄骨柱とに鉛直方向荷重を負担させて、間柱を不要とすることができ、コア部から外周部までの間を無柱空間とすれば、有効率の高い空間を形成することができる。
【００１２】
また、本発明の建物では、耐震要素を集約的に配置したコア部と、外周部に分散配置した鉄骨柱とに鉛直方向荷重を負担させることにより、外壁に建物の荷重を直接負担させないようにすることができ、故に、外壁の設計自由度を高めることができる。
【００１３】
請求項２に係る発明の建物では、コア部から建物の外周部にかけてフラットスラブを構築することにより、室内空間の有効率を一層高めることができる。
【００１４】
請求項３に係る発明の建物では、梁を利用することにより、ハーフプレキャストコンクリート床版を用いる合成床工法を簡易に行うことができる。
【００１５】
請求項４に係る発明の建物では、免震効果が得られ、建物の外周部に分散配置する鉄骨柱を細くすることが可能となる。
【図面の簡単な説明】
【００１６】
【図１】本発明の一実施の形態に係る建物の構成を概略的に示す説明図（建物の一部を省略して基準階の構成を可視化した斜視図）である。
【図２】前記建物の基準階の平面構造の構成を概略的に示す説明図である。
【発明を実施するための形態】
【００１７】
本発明の実施の形態について図面を参照しながら以下に説明する。
【００１８】
本実施の形態に係る建物は、例えば基礎免震工法や中間免震工法により所定の階に免震装置を設けて免震化されたものであって、図１に示すように複数の階層を有し、内部にはコア部１が形成されている。
【００１９】
コア部１は、図２に示すように、複数（図示例では３台）のエレベータ２が平面視において列をなす状態となるように配されたエレベータシャフト３と、エレベータシャフト３の前面側に位置する各階のエレベータホール４と、エレベータシャフト３の背面側に隣接する（エレベータシャフト３と壁を一部共有する）階段室５とをＲＣ耐震壁で囲むことで形成されている。従って、コア部１は、短期応力に対応した（地震力の大部分を負担する）堅牢なコアウォール架構となっている。
【００２０】
そのため、鉛直方向荷重を負担する要素として、コア部１の他に、建物の外周部に分散配置される鉄骨柱６（図１、図２参照）を設ければ、間柱は不要となるのであり、本実施形態では、コア部１から外周部までの間を無柱空間とする。
【００２１】
また、コア部１から建物の外周部にかけてフラットスラブを構築する。このフラットスラブの構築には種々の手法を採り得るが、本実施形態では、スパンクリート（商品名）等のハーフプレキャストコンクリート床版（以下、ハーフＰＣ床版という）を敷き並べ、その上に現場打ちコンクリートを打設する合成床工法を用い、支保工を不要としている。そして、この合成床工法におけるハーフＰＣ床版の敷き並べを簡易に行うことができるように、コア部１と外周梁７（図１、図２参照）との間に、梁８を架設する。
【００２２】
詳述すると、まず、図２に示すように、建物の平面構造は、平面視で互いに直角であるＸ方向に延びる辺とＹ方向に延びる辺とで囲まれＸ方向に長い矩形状を呈するものである。これに対して、コア部（耐震壁）１は、Ｘ方向に延びる壁１ｘと、Ｙ方向に延びる壁１ｙとによって構成され、壁１ｘは壁１ｙより長く、また、コア部１は建物のＸ方向における中央であってＹ方向における端に位置している。そして、コア部１のＹ方向に延びる二つの壁１ｙからＹ方向に離れた位置に、Ｙ方向に延びる壁柱（ＲＣ壁柱）９を外壁１０に臨む状態で各々設け、各壁柱９とコア部１（壁１ｙ）との間には、Ｙ方向に延びる梁（例えばプレストレス梁）８を架設する。
【００２３】
上記のように梁８を架設することにより、ハーフＰＣ床版を敷き並べる際、Ｘ方向に延びるハーフＰＣ床版を、梁８と外周梁７との間や、二つの梁８の間に掛け渡すことができるので、ハーフＰＣ床版の敷き並べが容易となる。
【００２４】
また、梁８の一端を支持する壁柱９は長期応力に対応するので、図１及び図２に示すように、壁柱９付近において鉄骨柱６は不要となる。
【００２５】
本実施形態の建物では、コア部１に耐震要素を集約的に配置すると共に、このコア部１と、外周部に分散配置した鉄骨柱６と、壁柱９とに鉛直方向荷重を負担させることにより、外壁１０に建物の荷重を直接負担させないようにすることができ、故に、外壁１０の設計自由度を高めることができる。
【００２６】
そこで、本実施形態では、外壁１０をガラスカーテンウォールとしてある。外壁１０にガラスカーテンウォールを採用したことによる外部への視線透過性の高さは、コア部１から外周部までの内部空間が無柱空間であることによって際立ったものとなるが、外周部に分散配置される鉄骨柱６を細くすることにより、一層優れたものとなる。鉄骨柱６を細くすることは、この実施の形態の建物が免震構造を採用し、また、コア部１を非常に堅牢なコアウォール架構としているために可能であって、例えば２００ｍｍ径〜３４０ｍｍ径の鉄骨柱６を使用可能である。
【００２７】
また、本実施形態の建物は、コア部１から外周部にかけて無柱空間及びフラットスラブが構築されているので、有効率の高い空間を内部に有することになる。
【００２８】
なお、本発明は、上記の実施の形態に何ら限定されず、本発明の要旨を逸脱しない範囲において種々に変形して実施し得ることは勿論である。例えば、以下のような変形例を挙げることができる。
【００２９】
図２に示した例では、コア部１内に設けるエレベータシャフト３を一つのみとしているが、これに限らず、例えば、エレベータシャフト３の前側にエレベータホール４を挟んで別のエレベータシャフトを設け、この別のエレベータシャフトもコア部１内にあるようにしてもよい。
【００３０】
図２に示した例では、コア部１を、建物のＸ方向における中央であってＹ方向における端に位置させているが、これに限らず、例えば、コア部１を、建物のＸ方向及びＹ方向における中央に位置させてあってもよい。
【００３１】
図２に示した例では、コア部１のＹ方向に延びる壁１ｙから外周部に向けてＹ方向に延びる梁８を架設しているが、これに限らず、例えば、コア部１のＸ方向に延びる壁１ｘから外周部に向けてＸ方向に延びる梁を架設し、この梁をＹ方向に延びるハーフＰＣ床版の敷き並べに利用するようにしてもよい。
【００３２】
図１及び図２に示した例では、合成床工法におけるハーフＰＣ床版の敷き並べを簡易に行うことができるようにするために、梁８及び壁柱９を設けているが、これに限らず、例えばフラットスラブの構築を他の手法によって行う場合には、梁８及び壁柱９を設けなくてもよい。但し、この場合、例えば鉄骨柱６の数を増やし、かつ適切に配して、壁柱９の削減によって生じた鉛直方向荷重の負担分の増加を補う必要があるのはいうまでもない。
【００３３】
本実施形態では、外壁１０にガラスカーテンウォールを採用しているが、これに限らず、外壁１０はアルミカーテンウォール等の他の非耐力壁であってもよいし、耐力壁であってもよい。
【００３４】
なお、上記変形例どうしを適宜組み合わせてもよいことはいうまでもない。
【符号の説明】
【００３５】
１    コア部
１ｘ  Ｘ方向に延びる壁
１ｙ  Ｙ方向に延びる壁
２    エレベータ
３    エレベータシャフト
４    エレベータホール
５    階段室
６    鉄骨柱
７    外周梁
８    梁
９    壁柱
１０    外壁
【図１】
2014231724.tif 000003
【図２】
2014231724.tif 000004